(57)【要約】【課題】従来、映像から適切なダイジェスト映像を取得することが困難であった。【解決手段】映像を構成する２以上のフレームのうちの２以上のフレーム間の変化を示す情報であるフレーム間変化情報を取得する変化情報取得部と、フレーム間変化情報を用いて、映像の一部である１または２以上の部分映像を取得する部分映像取得部と、部分映像取得部が取得した１以上の部分映像を有するダイジェスト映像を蓄積する蓄積部とを具備するダイジェスト映像取得装置により、映像から適切なダイジェスト映像を取得できる。【選択図】図１
2018013879.tif 000002
【特許請求の範囲】
【請求項１】
映像を構成する２以上のフレームのうちの２以上のフレーム間の変化を示す情報であるフレーム間変化情報を取得する変化情報取得部と、
前記フレーム間変化情報を用いて、前記映像の一部である１または２以上の部分映像を取得する部分映像取得部と、
前記部分映像取得部が取得した１以上の部分映像を有するダイジェスト映像を蓄積する蓄積部とを具備するダイジェスト映像取得装置。
【請求項２】
前記部分映像取得部は、
前記フレーム間変化情報が予め決められた条件を満たすほど大きな変化を示す情報である場合、当該フレーム間変化情報に対応するフレームを含む１以上の部分映像を取得する請求項１記載のダイジェスト映像取得装置。
【請求項３】
前記変化情報取得部は、
２つのフレーム間の変化に関する２以上の特徴量を取得し、当該２以上の特徴量を用いて、フレーム間変化情報を取得する請求項１または請求項２記載のダイジェスト映像取得装置。
【請求項４】
部分映像の数である部分映像数を受け付ける受付部をさらに具備し、
前記部分映像取得部は、
前記部分映像数の部分映像を取得する請求項１から請求項３いずれか一項に記載のダイジェスト映像取得装置。
【請求項５】
部分映像の開始フレームを選択するための第一選択条件が格納される選択条件格納部をさらに具備し、
前記部分映像取得部は、
前記第一選択条件に合致する１以上のフレームを選択するフレーム選択手段と、
前記フレーム選択手段が選択した１以上の各フレームを開始フレームとする１以上の部分映像を取得する部分映像取得手段とを具備する請求項１記載から請求項３いずれか一項に記載のダイジェスト映像取得装置。
【請求項６】
前記部分映像取得手段は、
前記開始フレームと次の開始フレームまたは映像の終了フレームとまでの２以上の各シーンから、シーンの長さに応じた長さの部分映像を取得する請求項５記載のダイジェスト映像取得装置。
【請求項７】
前記部分映像取得手段は、
前記開始フレームと次の開始フレームまたは映像の終了フレームとまでの２以上の各シーンから、一定長の部分映像を取得する請求項５記載のダイジェスト映像取得装置。
【請求項８】
前記選択条件格納部は、
部分映像の終了フレームを選択するための第二選択条件をも格納し、
前記部分映像取得手段は、
前記第二選択条件に合致する１以上のフレームを選択し、前記開始フレームから前記選択した終了フレームまでの部分映像を取得する請求項５から請求項７いずれか一項に記載のダイジェスト映像取得装置。
【請求項９】
変化情報取得部、部分映像取得部、および蓄積部により実現されるダイジェスト映像取得方法であって、
前記変化情報取得部が、映像を構成する２以上のフレームのうちの２以上のフレーム間の変化を示す情報であるフレーム間変化情報を取得する変化情報取得ステップと、
前記部分映像取得部が、前記フレーム間変化情報を用いて、前記映像の一部である１または２以上の部分映像を取得する部分映像取得ステップと、
前記蓄積部が、前記部分映像取得ステップで取得された１以上の部分映像を有するダイジェスト映像を蓄積する蓄積ステップとを具備するダイジェスト映像取得方法。
【請求項１０】
コンピュータを、
映像を構成する２以上のフレームのうちの２以上のフレーム間の変化を示す情報であるフレーム間変化情報を取得する変化情報取得部と、
前記フレーム間変化情報を用いて、前記受付部が受け付けた映像の一部である１または２以上の部分映像を取得する部分映像取得部と、
前記部分映像取得部が取得した１以上の部分映像を有するダイジェスト映像を蓄積する蓄積部として機能させるためのプログラム。
【発明の詳細な説明】
【技術分野】
【０００１】
本発明は、映像からダイジェスト映像を取得するダイジェスト映像取得装置等に関するものである。
【背景技術】
【０００２】
従来、検索要求を満足するダイジェストを同定し、当該ダイジェストをユーザに提示する映像検索ダイジェスト生成装置があった（特許文献１参照）。かかる装置において、映像を入力し、映像コンテンツ記憶手段に格納し、映像コンテンツ記憶手段から映像を読み出して解析し、キーワードを抽出し、検索ダイジェスト記憶手段に格納し、映像コンテンツ記憶手段から映像を読み出して、該映像を分割した区間のダイジェストを生成するための情報である要約情報として検索ダイジェスト記憶手段に格納する。そして、かかる装置は、ユーザから指定された検索語に対応するキーワードを検索ダイジェスト記憶手段から取得し、該キーワードに対応する要約情報を該検索ダイジェスト記憶手段から取得し、映像コンテンツ記憶手段から該要約情報の区分の映像をダイジェストとして取得して該ユーザの表示手段に出力する装置である。
【先行技術文献】
【特許文献】
【０００３】
【特許文献１】特開２００９−２５９１６７号公報（第１頁、第１図等）
【発明の概要】
【発明が解決しようとする課題】
【０００４】
しかし、従来技術においては、映像から一部を抽出した適切なダイジェスト映像を取得することが困難であった。
【課題を解決するための手段】
【０００５】
本第一の発明のダイジェスト映像取得装置は、映像を構成する２以上のフレームのうちの２以上のフレーム間の変化を示す情報であるフレーム間変化情報を取得する変化情報取得部と、フレーム間変化情報を用いて、映像の一部である１または２以上の部分映像を取得する部分映像取得部と、部分映像取得部が取得した１以上の部分映像を有するダイジェスト映像を蓄積する蓄積部とを具備するダイジェスト映像取得装置である。
【０００６】
かかる構成により、フレーム間の変化を示すフレーム間変化情報を用いてダイジェスト映像を取得するため、適切なダイジェスト映像を取得できる。
【０００７】
また、本第二の発明のダイジェスト映像取得装置は、第一の発明に対して、部分映像取得部は、フレーム間変化情報が予め決められた条件を満たすほど大きな変化を示す情報である場合、フレーム間変化情報に対応するフレームを含む１以上の部分映像を取得するダイジェスト映像取得装置である。
【０００８】
かかる構成により、適切なダイジェスト映像を取得できる。
【０００９】
また、本第三の発明のダイジェスト映像取得装置は、第一または第二の発明に対して、変化情報取得部は、２つのフレーム間の変化に関する２以上の特徴量を取得し、２以上の特徴量を用いて、フレーム間変化情報を取得するダイジェスト映像取得装置である。
【００１０】
かかる構成により、適切なダイジェスト映像を取得できる。
【００１１】
また、本第四の発明のダイジェスト映像取得装置は、第一から第三いずれか１つの発明に対して、部分映像の数である部分映像数を受け付ける受付部をさらに具備し、部分映像取得部は、部分映像数の部分映像を取得するダイジェスト映像取得装置である。
【００１２】
かかる構成により、適切なダイジェスト映像を取得できる。
【００１３】
また、本第五の発明のダイジェスト映像取得装置は、第一記載から第三いずれか１つの発明に対して、部分映像の開始フレームを選択するための第一選択条件が格納される選択条件格納部をさらに具備し、部分映像取得部は、第一選択条件に合致する１以上のフレームを選択するフレーム選択手段と、フレーム選択手段が選択した１以上の各フレームを開始フレームとする１以上の部分映像を取得する部分映像取得手段とを具備するダイジェスト映像取得装置である。
【００１４】
かかる構成により、適切なダイジェスト映像を取得できる。
【００１５】
また、本第六の発明のダイジェスト映像取得装置は、第五の発明に対して、部分映像取得手段は、開始フレームと次の開始フレームまたは映像の終了フレームとまでの２以上の各シーンから、シーンの長さに応じた長さの部分映像を取得するダイジェスト映像取得装置である。
【００１６】
かかる構成により、適切なダイジェスト映像を取得できる。
【００１７】
また、本第七の発明のダイジェスト映像取得装置は、第五の発明に対して、部分映像取得手段は、開始フレームと次の開始フレームまたは映像の終了フレームとまでの２以上の各シーンから、一定長の部分映像を取得するダイジェスト映像取得装置である。
【００１８】
かかる構成により、適切なダイジェスト映像を取得できる。
【００１９】
また、本第八の発明のダイジェスト映像取得装置は、第五から第七いずれか１つの発明に対して、選択条件格納部は、部分映像の終了フレームを選択するための第二選択条件をも格納し、部分映像取得手段は、第二選択条件に合致する１以上のフレームを選択し、開始フレームから選択した終了フレームまでの部分映像を取得するダイジェスト映像取得装置である。
【００２０】
かかる構成により、適切なダイジェスト映像を取得できる。
【発明の効果】
【００２１】
本発明によるダイジェスト映像取得装置によれば、フレーム間変化情報を用いてダイジェスト映像を取得するため、適切なダイジェスト映像を取得できる。
【図面の簡単な説明】
【００２２】
【図１】実施の形態１におけるダイジェスト映像取得装置１のブロック図
【図２】同ダイジェスト映像取得装置１の動作について説明するフローチャート
【図３】同フレーム間変化情報取得処理の第一の例について説明するフローチャート
【図４】同フレーム間変化情報取得処理の第二の例について説明するフローチャート
【図５】同フレーム間変化情報の算出を示す概念図
【図６】同フレーム間変化情報管理表を示す図
【図７】同コンピュータシステムの概観図
【図８】同コンピュータシステムのブロック図
【発明を実施するための形態】
【００２３】
以下、ダイジェスト映像取得装置等の実施形態について図面を参照して説明する。なお、実施の形態において同じ符号を付した構成要素は同様の動作を行うので、再度の説明を省略する場合がある。
【００２４】
（実施の形態１）
本実施の形態において、映像のフレーム間の変化情報であるフレーム間変化情報を取得し、当該フレーム間変化情報を用いて、映像の一部からなるダイジェスト映像を取得するダイジェスト映像取得装置について説明する。
【００２５】
また、本実施の形態において、フレーム間変化情報が予め決められた条件を満たすほど大きな変化を示す情報に対応するフレームをシーンの開始フレームとして、映像の一部を取得し、当該映像の一部を含むダイジェスト映像を取得するダイジェスト映像取得装置について説明する。
【００２６】
また、本実施の形態において、フレーム間の変化に関する２以上の特徴量から、フレーム間ごとに一のフレーム間変化情報を取得し、当該フレーム間変化情報を用いて、映像の一部からなるダイジェスト映像を取得するダイジェスト映像取得装置について説明する。
【００２７】
また、本実施の形態において、映像の分割数Ｎ（Ｎは２以上の自然数）を受け付け、当該分割数Ｎの数のシーンを検出し、２以上のシーンごとに部分映像を取得し、当該２以上の部分映像を連結したダイジェスト映像を取得するダイジェスト映像取得装置について説明する。
【００２８】
また、本実施の形態において、予め決められた条件に合致するフレームをシーンの開始フレームとして、映像の一部を取得し、当該映像の一部を含むダイジェスト映像を取得するダイジェスト映像取得装置について説明する。
【００２９】
また、本実施の形態において、シーンの長さに応じた長さの部分映像を各シーンから取得し、ダイジェスト映像を構成するダイジェスト映像取得装置について説明する。
【００３０】
また、本実施の形態において、シーンの長さとは無関係に、一定長の部分映像を各シーンから取得し、ダイジェスト映像を構成するダイジェスト映像取得装置について説明する。
【００３１】
さらに、本実施の形態において、予め決められた条件を満たす終了フレームを決定し、開始フレームからかかる終了フレームまでの部分映像を取得し、ダイジェスト映像を構成するダイジェスト映像取得装置について説明する。
【００３２】
図１は、本実施の形態におけるダイジェスト映像取得装置１のブロック図である。
【００３３】
ダイジェスト映像取得装置１は、格納部１１、受付部１２、処理部１３、および送信部１４を備える。格納部１１は、映像格納部１１１、選択条件格納部１１２、およびダイジェスト映像格納部１１３を備える。
【００３４】
処理部１３は、変化情報取得部１３１、部分映像取得部１３２、および蓄積部１３３を備える。
【００３５】
部分映像取得部１３２は、フレーム選択手段１３２１、および部分映像取得手段１３２２を備える。
【００３６】
格納部１１は、各種の情報が格納される。各種の情報とは、例えば、ダイジェスト映像が作成される元になる映像、後述する選択条件、ダイジェスト映像等である。
【００３７】
映像格納部１１１は、２以上のフレームを有する映像が格納される。この映像は、ダイジェスト映像が作成される元になる映像である。この映像に、音声が対応付いて含まれていても良いことは言うまでもない。
【００３８】
選択条件格納部１１２は、部分映像の開始フレームを選択するための第一選択条件が格納される。第一選択条件は、後述するフレーム間変化情報をパラメータとする条件である。第一選択条件は、例えば、フレーム間変化情報が閾値以上であるフレーム間の変化後のフレームを開始フレームとして選択すること、フレーム間変化情報の値が上位Ｎに対応するフレーム間の変化後のフレームを開始フレームとして選択すること、フレーム間変化情報が閾値以上であるフレーム間の変化後のフレームからＸ（Ｘは１以上の自然数）フレーム後のフレームを開始フレームとして選択すること、フレーム間変化情報の値が上位Ｎに対応するフレーム間の変化後のフレームからＸ（Ｘは１以上の自然数）フレーム後のフレームを開始フレームとして選択すること等である。
【００３９】
選択条件格納部１１２は、部分映像の終了フレームを選択するための第二選択条件をも格納していることは好適である。第二選択条件は、例えば、部分映像の時間に関する条件である。第二選択条件は、例えば、開始フレームから、シーンの長さをパラメータとする増加関数により算出される時間後、またはフシーンの長さをパラメータとする増加関数により算出されるフレーム数後のフレームを終了フレームとして選択することである。第二選択条件は、例えば、開始フレームから定数時間後のフレームを終了フレームとして選択すること、開始フレームから定数だけ後のフレームを終了フレームとして選択することである。
【００４０】
なお、第一選択条件、および第二選択条件の表現は問わない。第一選択条件、および第二選択条件は、例えば、論理式、プログラム等である。
【００４１】
ダイジェスト映像格納部１１３は、処理部１３が取得したダイジェスト映像が格納される。
【００４２】
受付部１２は、各種の指示や映像を受け付ける。各種の指示や映像とは、例えば、開始指示、部分映像数、ダイジェスト映像送信指示等である。開始指示とは、ダイジェスト映像の作成を開始する指示である。また、部分映像数とは、ダイジェスト映像を構成する部分映像の数である。ダイジェスト映像送信指示とは、ダイジェスト映像の送信の指示であり、映像またはダイジェスト映像を識別する映像識別子を有する。ダイジェスト映像送信指示は、通常、ユーザの端末装置（図示しない）から受信される。
【００４３】
ここで、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００４４】
各種の指示や映像の入力手段は、キーボードやマウスやメニュー画面によるもの等、何でも良い。受付部１２は、キーボード等の入力手段のデバイスドライバーや、メニュー画面の制御ソフトウェア等で実現され得る。
【００４５】
処理部１３は、各種の処理を行う。各種の処理とは、例えば、変化情報取得部１３１、部分映像取得部１３２、蓄積部１３３、フレーム選択手段１３２１、部分映像取得手段１３２２等が行う処理である。
【００４６】
変化情報取得部１３１は、映像格納部１１１の映像からフレーム間変化情報を取得する。フレーム間変化情報は、映像を構成する２以上のフレームのうちの２以上のフレーム間の変化を示す情報である。
【００４７】
変化情報取得部１３１は、例えば、２つのフレーム間の変化に関する１または２以上の特徴量を取得し、当該１または２以上の特徴量を用いて、フレーム間変化情報を取得しても良い。かかる場合、フレーム間変化情報は、例えば、０から９までの自然数で示される。なお、フレーム間変化情報は、ここでは、数値が大きくなるほど、変化が大きいことを示す。なお、１以上の特徴量は、例えば、ＤＣ成分、輝度、色値、色差ヒストグラム相関などである。
【００４８】
変化情報取得部１３１は、例えば、上述したフレーム間変化情報を取得する第一から第三の処理を行い、第一フレーム間変化情報、第二フレーム間変化情報、第三フレーム間変化情報を取得する。そして、変化情報取得部１３１は、第一フレーム間変化情報、第二フレーム間変化情報、第三フレーム間変化情報を用いてフレーム間変化情報を取得する。なお、第一フレーム間変化情報、第二フレーム間変化情報、第三フレーム間変化情報は、それぞれが大きい値である（変化が大きい）ほど、フレーム間変化情報が大きい値（例えば、９に近づく）を採る。なお、２つのフレーム間からフレーム間変化情報を取得する場合、フレーム微分値をフレーム間変化情報として取得する、と言える。
【００４９】
変化情報取得部１３１は、３以上のフレームの組を取得し、３以上のフレームの組からフレーム間変化情報を取得しても良い。変化情報取得部１３１は、例えば、３つのフレームの組の中の前２つのフレーム間のフレーム微分値と、後２つのフレーム間のフレーム微分値とを取得し、２つのフレーム微分値の差異からフレーム間変化情報を取得しても良い。なお、変化情報取得部１３１は、通常、２つのフレーム微分値の差異をパラメータとする増加関数により、フレーム間変化情報を取得する。
【００５０】
さらに具体的には、変化情報取得部１３１は、例えば、以下のように動作する。まず、変化情報取得部１３１は、映像の最初からフレーム間変化情報を取得する対象となる２つのフレームの組を、順次、選択する。次に、変化情報取得部１３１は、選択したフレームの間のフレーム間変化情報を取得する。
【００５１】
なお、フレーム間変化情報は、例えば、２つのフレームである画像の類似度をパラメータとする減少関数（例えば、逆数）により取得される。また、フレーム間変化情報は、例えば、以下の第一から第四のいずれかの処理により算出される。
【００５２】
フレーム間変化情報の第一の取得処理は、ピクセル毎比較処理である。ピクセル毎比較処理とは、２つの各フレームの空間上の同一ピクセルの色値（例えば、ＲＧＢの値）の差であえる色値差を取得する。２つの各フレーム（フレーム１とフレーム２）の同一位置上のピクセルの色値がそれぞれ（ｒ１，ｇ１，ｂ１）、（ｒ２，ｇ２，ｂ２）であるとした場合、色値差（ｄ）は、数式１で示される。
【００５３】
そして、変化情報取得部１３１は、例えば、複数のピクセル間の色値差の平均値をフレーム間変化情報として取得する。また、変化情報取得部１３１は、例えば、当該色値差の平均値が大きいほど、大きい値となるフレーム間変化情報を取得しても良い。つまり、変化情報取得部１３１は、色値差の平均値をパラメータとする増加関数により、フレーム間変化情報を取得しても良い。なお、ピクセル毎比較処理により得られたフレーム間変化情報を第一フレーム間変化情報と言う。
【００５４】
【数１】
2018013879.tif 000003
【００５５】
フレーム間変化情報の第二の取得処理は、ピクセル比較処理である。ピクセル比較処理とは、２つの各フレーム（フレーム１とフレーム２）の同一位置上のピクセルの色値差（ｄ）を算出し、色値差（ｄ）が閾値以上または閾値より大きい場合、エラーピクセルと判断し、エラーピクセルの数を取得する処理である。つまり、変化情報取得部１３１は、エラーピクセルの数をフレーム間変化情報として取得する。変化情報取得部１３１は、エラーピクセルの数が多いほど、大きい値となるフレーム間変化情報を取得しても良い。つまり、変化情報取得部１３１は、エラーピクセルの数をパラメータとする増加関数により、フレーム間変化情報を取得しても良い。なお、ピクセル比較処理により得られたフレーム間変化情報を第二フレーム間変化情報と言う。
【００５６】
フレーム間変化情報の第三の取得処理は、カラーヒストグラム比較処理である。なお、カラーヒストグラムとは、画像中に各色が何ピクセルあるか数えて作成した棒グラフである。カラーヒストグラム比較処理は、例えば、２つのフレームの各色の数の差異の合計または各色の数の差異の平均値や中央値等をフレーム間変化情報として取得する処理である。また、変化情報取得部１３１は、例えば、２つのフレームの各色の数の差異の合計または各色の数の差異の平均値や中央値等が大きい、大きい値となるフレーム間変化情報を取得しても良い。つまり、変化情報取得部１３１は、２つのフレームの各色の数の差異の合計または各色の数の差異の平均値や中央値等をパラメータとする増加関数により、フレーム間変化情報を取得しても良い。なお、カラーヒストグラム比較処理により得られたフレーム間変化情報を第三フレーム間変化情報と言う。
【００５７】
また、変化情報取得部１３１は、上記の処理において、例えば、正規化されたフレーム間変化情報（例えば、０から９の整数のうちのいずれか）を取得しても良い。
【００５８】
フレーム間変化情報の第四の取得処理は、分割領域比較処理である。分割領域比較処理とは、以下のような処理である。つまり、変化情報取得部１３１は、２つの各フレーム（フレーム１とフレーム２）を２以上の領域に分割し、２以上の分割領域を得る。そして、変化情報取得部１３１は、２つの各フレームの同一の分割領域に対して、分割領域間の変換の度合いを示す情報である分割領域変化情報を、２以上の各分割領域ごとに取得する。そして、変化情報取得部１３１は、２以上の各分割領域の２以上の分割領域変化情報を用いて、フレーム間変化情報を取得する。分割領域比較処理において、変化情報取得部１３１は、２以上の各分割領域に対して、上述したピクセル毎比較処理により分割領域変化情報を取得しても良いし、ピクセル比較処理により分割領域変化情報を取得しても良いし、２つの各分割領域における１以上の特徴量の差異から分割領域変化情報を取得しても良い。
【００５９】
部分映像取得部１３２は、フレーム間変化情報を用いて、映像から１または２以上の部分映像を取得する。なお、部分映像は映像の一部である。ここで部分映像を取得する処理は、部分映像の開始フレームと終了フレームを特定する処理でも良い。また、具体的には、部分映像取得部１３２は、フレーム間変化情報が予め決められた条件を満たすほど大きな変化を示す情報である場合、当該フレーム間変化情報に対応するフレームを含む１以上の部分映像を取得する。フレーム間変化情報に対応するフレームとは、通常、フレーム間変化情報の算出対象となった２以上のフレームである。フレーム間変化情報に対応するフレームは、通常、フレーム間変化情報の算出対象となった２以上のフレームのうちの、時間的に最後のフレームである。ただし、フレーム間変化情報に対応するフレームは、フレーム間変化情報の算出対象となった２以上のフレームのうちのいずれかを基準として、時間的に後のフレーム（例えば、３フレーム後のフレーム、１０フレーム後のフレーム等）でも良い。
【００６０】
部分映像取得部１３２は、受付部１２で受け付けられた部分映像数の部分映像を取得しても良い。なお、部分映像取得部１３２が取得する部分映像の長さ（例えば、時間、フレーム数）は予め決められていても良いし、動的に変わっても良い。
【００６１】
フレーム選択手段１３２１は、第一選択条件に合致する１以上のフレームを選択する。フレーム選択手段１３２１が取得した１以上の各フレームは、部分映像の開始フレームである。なお、第一選択条件は、例えば、フレーム間変化情報が閾値以上または閾値より大きいことである。また、第一選択条件は、例えば、フレーム間変化情報の上位Ｎ（Ｎは部分映像数、または部分映像数−１であり、自然数である。）であることである。
【００６２】
部分映像取得手段１３２２は、フレーム選択手段１３２１が選択した１以上の各フレームを開始フレームとする１以上の部分映像を取得する。
【００６３】
部分映像取得手段１３２２は、２以上の各シーンから、シーンの長さに応じた長さの部分映像を取得しても良い。シーンとは、開始フレームと次の開始フレームまでフレーム群、または開始フレームと映像の終了フレームとまでのフレーム群である。
【００６４】
部分映像取得手段１３２２は、２以上の各シーンから、一定長の部分映像を取得しても良い。一定長を特定する情報は、格納部１１に格納されている。
【００６５】
部分映像取得手段１３２２は、第二選択条件に合致する１以上のフレームを終了フレームとして選択し、開始フレームから選択した終了フレームまでの部分映像を取得する。なお、第二選択条件は、例えば、開始フレームからＭフレーム後のフレームを終了フレームとして選択することである。また、第二選択条件は、例えば、開始フレームが含まれるシーンの長さに応じた部分映像の長さの決定し、開始フレームから当該部分映像の長さに対応するフレームを終了フレームとして選択することである。
【００６６】
蓄積部１３３は、部分映像取得部１３２が取得した１以上の部分映像を有するダイジェスト映像を蓄積する。蓄積部１３３は、部分映像取得部１３２が取得した２以上の部分映像を連結して、ダイジェスト映像を生成し、当該ダイジェスト映像を蓄積しても良い。ここで、蓄積とは、通常、格納部１１への格納であるが、外部の装置に蓄積することでも良い。また、ダイジェスト映像を蓄積することは、映像の開始フレームおよび終了フレームに対応付けて、フラグを付加し、当該フラグを用いて、ダイジェスト映像が再生できる状況を構成することでも良い。なお、ここでのフラグとは、例えば、後述する開始フラグ、または終了フラグである。
【００６７】
送信部１４は、ダイジェスト映像を図示しない端末装置に送信する。送信部１４は、部分映像取得部１３２が取得した１以上の部分映像を端末装置に送信しても良い。送信部１４は、例えば、受付部１２がダイジェスト映像送信指示を受け付けた場合に、当該ダイジェスト映像送信指示に対応するダイジェスト映像を端末装置に送信する。なお、この端末装置は、ダイジェスト映像送信指示を送信した装置である。
【００６８】
格納部１１、映像格納部１１１、選択条件格納部１１２、ダイジェスト映像格納部１１３は、不揮発性の記録媒体が好適であるが、揮発性の記録媒体でも実現可能である。
【００６９】
格納部１１等に情報が記憶される過程は問わない。例えば、記録媒体を介して情報が格納部１１等で記憶されるようになってもよく、通信回線等を介して送信された情報が格納部１１等で記憶されるようになってもよく、あるいは、入力デバイスを介して入力された情報が格納部１１等で記憶されるようになってもよい。
【００７０】
処理部１３、変化情報取得部１３１、部分映像取得部１３２、蓄積部１３３、フレーム選択手段１３２１、部分映像取得手段１３２２は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００７１】
送信部１４は、通常、無線または有線の通信手段で実現されるが、放送手段で実現されても良い。
【００７２】
次に、ダイジェスト映像取得装置１の動作について、図２のフローチャートを用いて説明する。
【００７３】
（ステップＳ２０１）受付部１２は、開始指示を受け付けたか否かを判断する。開始指示を受け付けた場合はステップＳ２０２に行き、開始指示を受け付けない場合はステップＳ２１２に行く。
【００７４】
（ステップＳ２０２）変化情報取得部１３１は、カウンタｉに１を代入する。
【００７５】
（ステップＳ２０３）変化情報取得部１３１は、映像格納部１１１の映像の中に、ｉ番目の組が存在するか否かを判断する。ｉ番目の組が存在する場合はステップＳ２０４に行き、ｉ番目の組が存在しない場合はステップＳ２０６に行く。なお、ｉ番目の組とは、フレーム間変化情報を取得する対象の２以上のフレームである。例えば、ｉ番目の組とは、フレーム間変化情報を取得する対象の２つの連続するフレームである。
【００７６】
（ステップＳ２０４）変化情報取得部１３１は、ｉ番目の組のフレーム群に対して、フレーム間変化情報を取得する。なお、フレーム間変化情報取得処理について、図３、図４のフローチャートを用いて説明する。
【００７７】
（ステップＳ２０５）変化情報取得部１３１は、カウンタｉを１、インクリメントする。ステップＳ２０３に戻る。
【００７８】
（ステップＳ２０６）フレーム選択手段１３２１は、第一選択条件に合致する１または２以上の開始フレームを選択する。第一選択条件は、例えば、フレーム間変化情報が閾値以上または閾値より大きい（変化が激しい）フレームである。なお、当該開始フレームは、通常、ｉ番目の組のフレーム群のうちの最後のフレームである。
【００７９】
（ステップＳ２０７）部分映像取得手段１３２２は、カウンタｊに１を代入する。
【００８０】
（ステップＳ２０８）部分映像取得手段１３２２は、ｊ番目の開始フレームが存在するか否かを判断する。ｊ番目の開始フレームが存在する場合はステップＳ２０９に行き、ｊ番目の開始フレームが存在しない場合はステップＳ２１１に行く。
【００８１】
（ステップＳ２０９）部分映像取得手段１３２２は、ｊ番目の開始フレームに対応する終了フレームであり、第二選択条件に合致する終了フレームを決定する。なお、この終了フレームは、（ｊ＋１）番目の開始フレームより時間的に前のフレームである。また、部分映像取得手段１３２２が終了フレームを決定する処理は、例えば、終了フレームの識別子（例えば、フレーム番号）を取得すること、終了フレームの識別子（例えば、フレーム番号）を開始フレームの識別子に対応付けて蓄積すること、終了フレームに終了フレームであることを示すフラグを付加すること等である。終了フレームを決定する処理の内容は問わない。
【００８２】
（ステップＳ２１０）部分映像取得手段１３２２は、カウンタｊを１、インクリメントする。ステップＳ２０８に戻る。
【００８３】
（ステップＳ２１１）蓄積部１３３は、部分映像取得部１３２が取得した１以上の部分映像を有するダイジェスト映像を蓄積する。ステップＳ２０１に戻る。なお、蓄積部１３３は、例えば、開始フレームから終了フレームまでのフレーム群を切り出し、部分映像を取得し、取得した２以上の部分映像を連結してダイジェスト映像を生成し、当該ダイジェスト映像を蓄積しても良い。また、蓄積部１３３は、フレーム選択手段１３２１が取得した開始フレームの識別子と、部分映像取得手段１３２２が取得した終了フレームの識別子との組を、格納部１１に蓄積しても良い。また、蓄積部１３３は、フレーム選択手段１３２１が取得した開始フレームの識別子に対応する開始フレームに、開始フレームである旨のフラグを付加し、かつ部分映像取得手段１３２２が取得した終了フレームの識別子に対応する終了フレームに、終了フレームである旨のフラグを付加するなどしても良い。つまり、蓄積部１３３がダイジェスト映像を蓄積する処理は、ダイジェスト映像を取得できるようにする処理であれば良い。
【００８４】
（ステップＳ２１２）受付部１２は、ダイジェスト映像送信指示を図示しない端末装置から受信したか否かを判断する。ダイジェスト映像送信指示を受信した場合はステップＳ２１３に行き、受信しなかった場合はステップＳ２０１に戻る。
【００８５】
（ステップＳ２１３）処理部１３は、ステップＳ２１２で受信されたダイジェスト映像送信指示に対応するダイジェスト映像を取得する。
【００８６】
（ステップＳ２１４）送信部１４は、ステップＳ２１３で取得されたダイジェスト映像を図示しない端末装置に送信する。ステップＳ２０１に戻る。
【００８７】
なお、図２のフローチャートにおいて、例えば、フレーム間変化情報取得処理の対象となるフレームの組は、２フレームであり、時間的に連続する２つのフレームである、とする。
しても良い。
【００８８】
また、図２のフローチャートにおいて、部分映像取得手段１３２２は、映像の最初のフレームを、部分映像の開始フレームとし、第二選択条件に合致する終了フレームを決定しても良い。
【００８９】
さらに、図２のフローチャートにおいて、電源オフや処理終了の割り込みにより処理は終了する。
【００９０】
次に、ステップＳ２０４のフレーム間変化情報取得処理の第一の例について、図３のフローチャートを用いて説明する。図３のフローチャートにおいて、フレーム間変化情報の取得処理は、上述したピクセル比較処理を例として説明する。また、本フローチャートにおいて、フレーム間変化情報の取得処理の対象の２つの時間的に連続するフレームをフレーム１、フレーム２ということとする。また、映像中において、フレーム１の次にフレーム２が存在する、とする。
【００９１】
（ステップＳ３０１）変化情報取得部１３１は、カウンタｉに１を代入する。また、変化情報取得部１３１は、変数「エラー数」に０を代入する。
【００９２】
（ステップＳ３０２）変化情報取得部１３１は、フレーム１またはフレーム２にｉ番目のピクセルが存在するか否かを判断する。ｉ番目のピクセルが存在する場合はステップＳ３０３に行き、ｉ番目のピクセルが存在しない場合はステップＳ３０９に行く。なお、変化情報取得部１３１は、例えば、フレーム１またはフレーム２のピクセルを順に走査し、ｉ番目のピクセルを取得する。
【００９３】
（ステップＳ３０３）変化情報取得部１３１は、フレーム１のｉ番目のピクセルの色値を取得する。
【００９４】
（ステップＳ３０４）変化情報取得部１３１は、フレーム２のｉ番目のピクセルの色値を取得する。なお、フレーム１のｉ番目のピクセルのフレーム内の座標位置とフレーム２のｉ番目のピクセルのフレーム内の座標位置とは同じである。
【００９５】
（ステップＳ３０５）変化情報取得部１３１は、ステップＳ３０３およびステップＳ３０４で取得した２つの色値から、距離を算出する。かかる算出方法は、上述した数式１である。
【００９６】
（ステップＳ３０６）変化情報取得部１３１は、ステップＳ３０５で取得した距離が閾値以上であるか否かを判断する。距離が閾値以上であればステップＳ３０７に行き、距離が閾値未満であればステップＳ３０８に行く。
【００９７】
（ステップＳ３０７）変化情報取得部１３１は、変数「エラー数」に１を加える。
【００９８】
（ステップＳ３０８）変化情報取得部１３１は、カウンタｉを１、インクリメントする。
【００９９】
（ステップＳ３０９）変化情報取得部１３１は、フレーム間変化情報に変数「エラー数」の値を代入する。
【０１００】
なお、図３のフローチャートにおいて、ピクセルの色値を用いて、フレーム間変化情報を取得した。しかし、図３のフローチャートにおいて、ピクセルの他の特徴量（属性値と言っても良い）を用いて、２つのピクセル間の距離（差異と言っても良い）を算出し、かかる距離を用いて、フレーム間変化情報を取得しても良い。なお、ピクセルの他の特徴量とは、例えば、輝度、明度である。
【０１０１】
次に、ステップＳ２０４のフレーム間変化情報取得処理の第二の例について、図４のフローチャートを用いて説明する。図４のフローチャートにおいて、フレーム間変化情報の取得処理は、上述した分割領域比較処理を例として説明する。また、本フローチャートにおいて、フレーム間変化情報の取得処理の対象の２つの連続するフレームをフレーム１、フレーム２ということとする。また、映像中において、フレーム１の次にフレーム２が存在する、とする。
【０１０２】
（ステップＳ４０１）変化情報取得部１３１は、カウンタｉに１を代入する。
【０１０３】
（ステップＳ４０２）変化情報取得部１３１は、フレーム１またはフレーム２にｉ番目の分割領域が存在するか否かを判断する。ｉ番目の分割領域が存在する場合はステップＳ４０３に行き、ｉ番目の分割領域が存在しない場合はステップＳ４０８に行く。なお、格納部１１に、２以上の各分割領域を特定する分割領域特定（例えば、領域の左上座標と右下座標）が格納されている。そして、変化情報取得部１３１は、格納部１１の分割領域特定情報を順に取得していき、ｉ番目の分割領域が存在するか否か（ｉ番目の分割領域特定情報が格納部１１に存在するか否か）を判断する。
【０１０４】
（ステップＳ４０３）変化情報取得部１３１は、フレーム１のｉ番目の分割領域の１以上の特徴量を取得する。なお、１以上の特徴量は、例えば、ｉ番目の分割領域の各ピクセルの色値の平均値、ｉ番目の分割領域の各ピクセルの輝度の平均値、ｉ番目の分割領域の色ヒストグラムの情報等である。また、変化情報取得部１３１は、例えば、ｉ番目の分割領域特定情報を格納部１１から取得する。そして、変化情報取得部１３１は、例えば、当該分割領域特定情報が示す領域の画像から１以上の特徴量を取得する。
【０１０５】
（ステップＳ４０４）変化情報取得部１３１は、フレーム２のｉ番目の分割領域の１以上の特徴量を取得する。
【０１０６】
（ステップＳ４０５）変化情報取得部１３１は、ステップＳ４０３で取得した１以上の特徴量とステップＳ４０４で取得した１以上の特徴量とを用いて、各特徴量の差を取得する。つまり、例えば、変化情報取得部１３１は、ステップＳ４０３で取得したフレーム１の色値の平均値とテップＳ４０４で取得したフレーム２の色値の平均値との差異を取得し、かつフレーム１の輝度の平均値とフレーム２の輝度の平均値との差異を取得する。
【０１０７】
（ステップＳ４０６）変化情報取得部１３１は、ステップＳ４０５で取得した１以上の差の情報から、ｉ番目の分割領域の分割領域変化情報を取得する。変化情報取得部１３１は、ステップＳ４０５で取得した１以上の差の情報が大きな差を示す情報であるほど、ｉ番目の分割領域の分割領域変化情報が大きな情報となるように、分割領域変化情報を取得する。
【０１０８】
（ステップＳ４０７）変化情報取得部１３１は、カウンタｉを１、インクリメントする。ステップＳ４０２に戻る。
【０１０９】
（ステップＳ４０８）変化情報取得部１３１は、ステップＳ４０６で取得した２以上の各分割領域の分割領域変化情報を用いて、フレーム間変化情報を取得する。上位処理にリターンする。ここで、変化情報取得部１３１は、２以上の分割領域変化情報の平均値や中央値をフレーム間変化情報として取得しても良いし、２以上の分割領域変化情報の最大値をフレーム間変化情報として取得しても良い。つまり、分割領域変化情報が大きな値を示す場合ほど、大きな値のフレーム間変化情報を取得すれば良い。
【０１１０】
以下、本実施の形態におけるダイジェスト映像取得装置１の具体的な動作について説明する。
【０１１１】
今、映像格納部１１１に一の映像が格納されている。そして、ユーザは、ダイジェスト映像取得装置１に、部分映像数「５」を有する開始指示を入力した、とする。なお、一の映像は、例えば、フレーム番号０からフレーム番号１７９９９の１８０００フレームを有する映像である、とする。
【０１１２】
次に、受付部１２は、開始指示を受け付ける。そして、変化情報取得部１３１は、フレーム番号０に対応付けて、フレーム間変化情報「−１」を格納部１１に付加する。
【０１１３】
そして、次に、変化情報取得部１３１は、映像格納部１１１の映像の中のフレーム番号０とフレーム番号１を取得する。そして、変化情報取得部１３１は、フレーム番号０からフレーム番号１への変換の度合いを示すフレーム間変化情報を、例えば、上述した分割領域比較処理により取得する。ここでは、変化情報取得部１３１は、フレーム番号０とフレーム番号１の各分割領域の分割領域変化情報を取得し、当該各分割領域の分割領域変化情報を用いて、正規化したフレーム間変化情報「１」を取得した、とする。そして、変化情報取得部１３１は、フレーム番号１に対応付けて、フレーム間変化情報「１」を格納部１１に付加する。なお、変化情報取得部１３１は、「０」から「９」のいずれかの整数のフレーム間変化情報を取得する、とする。
【０１１４】
同様に、変化情報取得部１３１は、フレーム番号１とフレーム番号２との間のフレーム間変化情報「２」を取得した、とする。そして、変化情報取得部１３１は、フレーム番号２に対応付けて、フレーム間変化情報「２」を格納部１１に蓄積する。
【０１１５】
また、変化情報取得部１３１は、フレーム番号２とフレーム番号３との間のフレーム間変化情報「７」を取得した、とする。そして、変化情報取得部１３１は、フレーム番号３に対応付けて、フレーム間変化情報「７」を格納部１１に蓄積する。
【０１１６】
変化情報取得部１３１は、以上の処理を、映像の最終フレームまで行う。そして、変化情報取得部１３１は、図５に示す概念のフレーム間変化情報を算出した、とする。また、変化情報取得部１３１は、図６に示すフレーム間変化情報管理表の「ＩＤ」「フレーム番号」「フレーム間変化情報」の情報を蓄積した、とする。なお、フレーム間変化情報管理表は、「ＩＤ」「フレーム番号」「フレーム間変化情報」「開始フレームフラグ」「終了フレームフラグ」を有するレコードをフレーム数だけ保持している。「開始フレームフラグ」は開始フレームか否かを示すフラグであり、「終了フレームフラグ」は終了フレームか否かを示すフラグである。
【０１１７】
次に、フレーム選択手段１３２１は、フレーム間変化情報の値が上位５つの開始フレームを選択する。ここで、フレーム選択手段１３２１は、開始フレームとして、フレーム間変化情報の値が「９」のフレーム番号「６」「２５１７」「４５１０」「８３２１」「１２５４８」を選択した、とする。そして、フレーム選択手段１３２１は、開始フレームのフレーム番号に対応付けて、開始フラグ「１」を蓄積する。なお、フレーム選択手段１３２１は、開始フレーム以外のフレーム番号には、開始フラグ「０」を蓄積する、とする。なお、開始フラグ「１」は開始フラグであることを示し、開始フラグ「０」は開始フラグでないことを示す。また、同一のフレーム間変化情報に対応するすべてのフレームを開始フレームとして採用すると、部分映像数を超える部分映像を取得する場合、フレーム選択手段１３２１は、極力、間が均等になるように、開始フラグを選択することは好適である。
【０１１８】
次に、部分映像取得手段１３２２は、各開始フレームごとに、例えば、以下のように終了フレームを決定する。部分映像取得手段１３２２は、例えば、シーンの長さに応じた長さの部分映像となるように、終了フレームを決定する。部分映像取得手段１３２２は、例えば、１番目の部分映像のフレーム数「２５１７−６＋１＝２５１２」、２番目の部分映像のフレーム数「４５１０−２５１７＋１＝１９９４」、３番目の部分映像のフレーム数「８３２１−４５１０＋１＝３８１２」、４番目の部分映像のフレーム数「１２５４８−８３２１＋１＝４２２８」、５番目の部分映像のフレーム数「最終のフレーム番号（例えば、１７７９９９−１２５４８＋１＝５４５２」を得る。そして、部分映像取得手段１３２２は、例えば、概ね「２５１２：１９９４：３８１２：４２２８：５４５２」の比に、部分映像の長さがなるように、終了フレームを決定する。例えば、部分映像取得手段１３２２は、開始フレーム「６」に対応する終了フレームとしてフレーム番号「５０８」を得る。そして、部分映像取得手段１３２２は、フレーム番号「５０８」に対応付けて終了フレームフラグ「１」を書き込む。また、例えば、部分映像取得手段１３２２は、開始フレーム「２５１７」に対応する終了フレームとしてフレーム番号「２９１６」を得る。そして、部分映像取得手段１３２２は、フレーム番号「２９１６」に対応付けて終了フレームフラグ「１」を書き込む。また、例えば、部分映像取得手段１３２２は、開始フレーム「４５１０」に対応する終了フレームとしてフレーム番号「５２７２」を得る。そして、部分映像取得手段１３２２は、フレーム番号「５２７２」に対応付けて終了フレームフラグ「１」を書き込む。また、例えば、部分映像取得手段１３２２は、開始フレーム「８３２１」に対応する終了フレームとしてフレーム番号「９１６７」を得る。そして、部分映像取得手段１３２２は、フレーム番号「９１６７」に対応付けて終了フレームフラグ「１」を書き込む。また、映像の最終フレームに対応付けて終了フレームフラグ「１」を書き込む。なお、終了フレームではないフレームに対しては、終了フレームフラグ「０」が書き込まれる、とする。
【０１１９】
なお、部分映像取得手段１３２２は、上記で算出した終了フレームのフレーム番号に対応するフレーム間変化情報が閾値以上の場合、当該フレーム番号の前または後であり、フレーム間変化情報が示す変化の傾向が予め決められた変化より少ないフレームを終了フレームとして選択することは好適である。
【０１２０】
また、上記の場合、ダイジェスト映像のフレーム数（再生時間でも良い）が予め格納部１１に格納されている、とする。また、ダイジェスト映像のフレーム数（再生時間でも良い）がユーザにより指定されても良い。
【０１２１】
そして、次に、蓄積部１３３は、図６の開始フレームフラグ「１」に対応するフレームから、次の終了フレーム「１」に対応するフレームまでの映像を部分映像として取得する。次に、蓄積部１３３は、取得した５つの部分映像を連結し、ダイジェスト映像を構成し、当該ダイジェスト映像をダイジェスト映像格納部１１３に蓄積する。
【０１２２】
以上のダイジェスト映像の生成処理の後、ダイジェスト映像取得装置１は、ユーザの端末装置から、ダイジェスト映像送信指示を受信した、とする。
【０１２３】
次に、処理部１３は、受信されたダイジェスト映像送信指示に対応するダイジェスト映像を取得する。ここで、処理部１３は、ダイジェスト映像格納部１１３からダイジェスト映像を読み出しても良いし、図６の管理表を用いて、映像格納部１１１の映像からダイジェスト映像を構成しても良い。
【０１２４】
次に、送信部１４は、取得されたダイジェスト映像を、ダイジェスト映像送信指示を送信した端末装置に送信する。
【０１２５】
以上、本実施の形態によれば、フレーム間変化情報を用いてダイジェスト映像を取得するため、適切なダイジェスト映像を取得できる。
【０１２６】
なお、本実施の形態において、部分映像取得部１３２が取得する２つの部分映像が、映像の中で連続していても良い。つまり、部分映像の終了フレームの次のフレームが、次の部分映像の開始フレームであっても良い。
【０１２７】
また、本実施の形態の具体例において、部分映像数を用いて、部分映像を取得した。つまり、上記具体例において、第一選択条件は、「フレーム間変化情報の値が上位Ｎに対応するフレーム間の変化後のフレームを開始フレームとして選択すること」であった。しかし、上述したように、第一選択条件は、「フレーム間変化情報が閾値以上または閾値より大きいフレーム間の変化後のフレームを開始フレームとして選択すること」等の他の条件でも良いことは言うまでもない。
【０１２８】
また、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるダイジェスト映像取得装置１を実現するソフトウェアは、以下のようなプログラムである。つまり、このプログラムは、コンピュータを、映像を構成する２以上のフレームのうちの２以上のフレーム間の変化を示す情報であるフレーム間変化情報を取得する変化情報取得部と、前記フレーム間変化情報を用いて、前記受付部が受け付けた映像の一部である１または２以上の部分映像を取得する部分映像取得部と、前記部分映像取得部が取得した１以上の部分映像を有するダイジェスト映像を蓄積する蓄積部として機能させるためのプログラムである。
【０１２９】
また、上記プログラムにおいて、前記部分映像取得部は、前記フレーム間変化情報が予め決められた条件を満たすほど大きな変化を示す情報である場合、当該フレーム間変化情報に対応するフレームを含む１以上の部分映像を取得するものとして、コンピュータを機能させるプログラムであることは好適である。
【０１３０】
また、上記プログラムにおいて、前記変化情報取得部は、２つのフレーム間の変化に関する２以上の特徴量を取得し、当該２以上の特徴量を用いて、フレーム間変化情報を取得するものとして、コンピュータを機能させるプログラムであることは好適である。
【０１３１】
また、上記プログラムにおいて、コンピュータを、部分映像の数である部分映像数を受け付ける受付部としてさらに機能させ、前記部分映像取得部は、前記部分映像数の部分映像を取得するものとして、コンピュータを機能させるプログラムであることは好適である。
【０１３２】
また、上記プログラムにおいて、前記部分映像取得部は、部分映像の開始フレームを選択するための第一選択条件に合致する１以上のフレームを選択するフレーム選択手段と、前記フレーム選択手段が選択した１以上の各フレームを開始フレームとする１以上の部分映像を取得する部分映像取得手段とを具備するものとして、コンピュータを機能させるプログラムであることは好適である。
【０１３３】
また、上記プログラムにおいて、前記部分映像取得手段は、前記開始フレームと次の開始フレームまたは映像の終了フレームとまでの２以上の各シーンから、シーンの長さに応じた長さの部分映像を取得するものとして、コンピュータを機能させるプログラムであることは好適である。
【０１３４】
また、上記プログラムにおいて、前記部分映像取得手段は、前記開始フレームと次の開始フレームまたは映像の終了フレームとまでの２以上の各シーンから、一定長の部分映像を取得する
ものとして、コンピュータを機能させるプログラムであることは好適である。
【０１３５】
また、上記プログラムにおいて、前記部分映像取得手段は、部分映像の終了フレームを選択するための第二選択条件に合致する１以上のフレームを選択し、前記開始フレームから前記選択した終了フレームまでの部分映像を取得するものとして、コンピュータを機能させるプログラムであることは好適である。
【０１３６】
また、図７は、本明細書で述べたプログラムを実行して、上述した種々の実施の形態のダイジェスト映像取得装置１等を実現するコンピュータの外観を示す。上述の実施の形態は、コンピュータハードウェア及びその上で実行されるコンピュータプログラムで実現され得る。図７は、このコンピュータシステム３００の概観図であり、図８は、システム３００のブロック図である。
【０１３７】
図７において、コンピュータシステム３００は、ＣＤ−ＲＯＭドライブを含むコンピュータ３０１と、キーボード３０２と、マウス３０３と、モニタ３０４とを含む。
【０１３８】
図８において、コンピュータ３０１は、ＣＤ−ＲＯＭドライブ３０１２に加えて、ＭＰＵ３０１３と、ＣＤ−ＲＯＭドライブ３０１２等に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１３９】
コンピュータシステム３００に、上述した実施の形態のダイジェスト映像取得装置１等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１４０】
プログラムは、コンピュータ３０１に、上述した実施の形態のダイジェスト映像取得装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１４１】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１４２】
また、上記プログラムを実行するコンピュータは、単数であってもよく、複数であってもよい。すなわち、集中処理を行ってもよく、あるいは分散処理を行ってもよい。
【０１４３】
また、上記各実施の形態において、一の装置に存在する２以上の通信手段は、物理的に一の媒体で実現されても良いことは言うまでもない。
【０１４４】
また、上記各実施の形態において、各処理は、単一の装置によって集中処理されることによって実現されてもよく、あるいは、複数の装置によって分散処理されることによって実現されてもよい。
【０１４５】
本発明は、以上の実施の形態に限定されることなく、種々の変更が可能であり、それらも本発明の範囲内に包含されるものであることは言うまでもない。
【産業上の利用可能性】
【０１４６】
以上のように、本発明にかかるダイジェスト映像取得装置は、映像から一部を抽出した適切なダイジェスト映像を取得できる、という効果を有し、ダイジェスト映像取得装置等として有用である。
【符号の説明】
【０１４７】
１  ダイジェスト映像取得装置
１１  格納部
１２  受付部
１３  処理部
１４  送信部
１１１  映像格納部
１１２  選択条件格納部
１１３  ダイジェスト映像格納部
１３１  変化情報取得部
１３２  部分映像取得部
１３３  蓄積部
１３２１  フレーム選択手段
１３２２  部分映像取得手段
【図１】
2018013879.tif 000004
【図２】
2018013879.tif 000005
【図３】
2018013879.tif 000006
【図４】
2018013879.tif 000007
【図５】
2018013879.tif 000008
【図６】
2018013879.tif 000009
【図７】
2018013879.tif 000010
【図８】
2018013879.tif 000011